(57)【要約】【課題】  陳列棚の傾斜角度を変更するときに、傾斜板の前方で操作ができるショーケースを提供すること。【解決手段】  実施形態のショーケースは、前面を開口し、ブラケットと、ブラケットに取り付けられた傾斜板と、傾斜板上に配置される陳列棚とを備えるショーケースにおいて、傾斜板の前方側を前後方向に移動させるとともに、傾斜板の後方側を上下方向に移動させて、陳列棚を第１傾斜状態または第２傾斜態に変更させる。【選択図】図４
2018117736.tif 000002
【特許請求の範囲】
【請求項１】
前面を開口したショーケース本体と、前記ショーケース本体の庫内背面に後端面を係止支持されたブラケットと、前記ブラケットに取り付けられた傾斜板と、前記傾斜板上に配置される陳列棚と、を備えるショーケースにおいて、
一端を前記ブラケットの後方に回動自在に軸支され、他端を前記傾斜板の後方に回動自在に軸支された支持部材を有し、前記傾斜板は前方に前後方向に長いスライド孔を備え、前記ブラケットは前方に前記スライド孔を滑動自在に支持するピンを備え、
前記スライド孔を前記ピンに沿って滑動させるとともに、前記支持部材の回動により前記傾斜板の後方側を上下方向に移動させて、前記陳列棚を第１傾斜状態または第２傾斜状態に変更させるショーケース。
【請求項２】
前記スライド孔の前方側に上向きの凹部が形成され、前記傾斜板の前方の下端に操作部を設け、
前記陳列棚がほぼ水平な状態である第１傾斜状態から前記陳列棚が前方に傾斜する状態の第２傾斜状態に変更するとき、前記操作部を操作して前記凹部が前記ピンに掛止され、
第２傾斜状態から第１傾斜状態に変更するとき、前記操作部を操作して前記凹部が前記ピンから外れる請求項１に記載のショーケース。
【請求項３】
前記支持部材は、前記傾斜板の前方側が前後方向に移動するのに伴って、後方側が上下方向に移動可能な角度で備えられ、前記支持部材と前記ブラケットとの軸支点が前記支持部材と前記傾斜板との軸支点よりも低い位置で軸支された請求項１または請求項２に記載のショーケース。
【請求項４】
第１傾斜状態および第２傾斜状態のいずれの状態であっても、前記ブラケットの下端が前記傾斜板の下端よりも突出しているまたは同じ高さであることを特徴とする請求項１乃至請求項３のいずれかに記載のショーケース。
【請求項５】
商品を陳列する庫内を有する本体と、前記ショーケース本体の庫内背面に後端面を係止支持されたブラケットと、前記ブラケットに第１傾斜状態と前記第１傾斜状態よりも後方側が高く傾斜した第２傾斜状態とに移行可能に取り付けられた傾斜板と、前記傾斜板上に配置される陳列棚と、を備え、
前記傾斜板は傾斜板の前方を前後に移動させると、第１傾斜状態または第２傾斜状態へ移行することを特徴とするショーケース。
【発明の詳細な説明】
【技術分野】
【０００１】
本発明の実施形態は、ショーケースに関する。
【背景技術】
【０００２】
従来、ショーケースでは、商品を陳列する陳列棚の傾斜角度が変更可能で、前方に向けて下方に傾斜し、常に商品が陳列棚の前端側に位置するように構成されたものが提供されている。加えて、陳列棚を前方向に引き出し可能なものもある。
【０００３】
こうした陳列棚は、ブラケットに取り付けられる傾斜板上に配置され、傾斜板の後方にある操作部を操作して傾斜板の後方側を持ち上げることにより陳列棚を傾斜させるものが知られている。
例えば、特許文献１では、傾斜板の役割をする棚板の後方に上下方向に延びる長孔を有し、長孔に固定部材を挿入させて棚板を所定角度に保持している。
【先行技術文献】
【特許文献】
【０００４】
【特許文献１】特許４３４８１５７号公報
【発明の概要】
【発明が解決しようとする課題】
【０００５】
しかしながら、上述したショーケースでは、陳列棚の傾斜角度を変更する際に、傾斜板の後方を操作しなければならないため、作業者はショーケース庫内の後方まで手を延ばす必要がある。さらに、傾斜角度を変更する陳列棚の下段に商品が並んでいると、商品が手に当たり、商品が倒れるなどして作業性が悪いという問題があった。
【０００６】
本発明が解決しようとする課題は、陳列棚の傾斜角度を変更するときに、傾斜板の前方で操作ができるショーケースを提供することである。
【課題を解決するための手段】
【０００７】
上記課題を達成するために、実施形態のショーケースは、前面を開口したショーケース本体と、ショーケース本体の庫内背面に後端面を係止支持されたブラケットと、ブラケットに取り付けられた傾斜板と、傾斜板上に配置される陳列棚と、を備える。一端をブラケットの後方に回動自在に軸支され、他端を傾斜板の後方に回動自在に軸支された支持部材を有し、傾斜板は前方に前後方向に長いスライド孔を備え、ブラケットは前方にスライド孔を滑動自在に支持するピンを備える。
陳列棚は、スライド孔をピンに沿って滑動させるとともに、支持部材の回動により傾斜板の後方側を上下方向に移動させて、第１傾斜状態または第２傾斜状態に変更される。
【図面の簡単な説明】
【０００８】
【図１】本実施形態によるショーケースを示す斜視図である。
【図２】同実施形態によるショーケースの一部を破断した側面図である。
【図３】同実施形態によるショーケースの陳列棚及びブラケット組み立て部が第１傾斜状態のときの要部の側面図である。
【図４】同実施形態によるショーケースの陳列棚及びブラケット組み立て部が第２傾斜状態のときの要部の側面図である。
【図５】同実施形態によるショーケースの陳列棚、ブラケット組み立て部及び引き出し機構の分解斜視図である。
【図６】同実施形態によるショーケースの陳列棚及びブラケット組み立て部が第２傾斜状態のとき引き出し機構を閉じた斜視図である。
【図７】同実施形態によるショーケースにおいて、陳列棚及びブラケット組み立て部が第２傾斜状態のとき引き出し機構を引き出した斜視図である。
【発明を実施するための形態】
【０００９】
以下、発明を実施するための実施形態について図１乃至図７を参照して説明する。
図１は、本実施形態のショーケース１の斜視図である。図２はショーケース１の一部を破断した側面図である。ショーケース１は前面を開口したショーケース本体２と、ショーケース本体２の開口部３に陳列室１０と、ショーケース本体２内の上部、背面部、底部に形成されるダクト２０（上部ダクト２１、背面ダクト２２、底部ダクト２３）と、底部に機械室３０とから構成される。
上部ダクト２１は陳列室１０の天板１１、背面ダクト２２は陳列室１０の背面壁１２、底部ダクト２３は陳列室１０の底板１３によってショーケース本体２の開口部３とから仕切られる。
【００１０】
ショーケース本体２は断熱壁４を有している。断熱壁４は背面部を上下方向に延びる背面断熱壁４ｂと、背面断熱壁４ｂの上端部から前方へ延びる上部断熱壁４ａと、背面断熱壁４ｂの下端部から前方へ延びる下部断熱壁４ｃとから形成される。機械室３０前面は板金などで形成された基台６であり、断面壁４を支持している。
【００１１】
機械室３０及び背面ダクト２２の左右両端は側板７で囲まれ、陳列室１０の左右両端はガラスなどの透明な材料で形成された窓部１４によって囲まれている。
【００１２】
ダクト２０は、ショーケース本体２の上部ダクト２１の前方の下端に吹出し口２４が設けられ、吹出し口２４に対向する底部ダクト２３の上部に吸込み口２５が設けられる。
【００１３】
機械室３０は、送風機３１と冷却器３２が備えられる。送風機３１は、機械室３０を仕切る仕切り板３３に取り付けられている。冷却器３２は機械室３０と背面ダクト２２が連通する部分に取り付けられ、ショーケース１の外部に設けられた圧縮機や凝縮器等を有する図示しない冷凍回路に接続されている。
【００１４】
空気の流れを図２に矢印で示す。機械室３０に収容される送風機３１が駆動すると、吸込み口２５からショーケース本体２内に空気が吸い込まれる。吸い込まれた空気は底部ダクト２３を通過して冷却機３２により冷却される。さらに、背面ダクト２２、上部ダクト２１を通過し、上部ダクト２１に設けられた吹出し口２４から冷却された空気が吹出される。吹出された空気は、ショーケース本体１の前面にエアカーテンを形成し、陳列室１０内を冷却するとともに、陳列室１０の冷気が外部に流れ出るのを防止し、さらにショーケース本体２の外部から陳列室１０への外部空気の侵入を阻止している。また、吹出し口２４から吹き出された空気は再び底部ダクト２３に設けられた吸込み口２５からショーケース本体２内に吸い込まれる。
【００１５】
陳列室１０は、上部を天板１１と、底部を底板１３と、背面を背面壁１２と、左右側面を窓部１４とで囲まれ、前方が開口して形成されている。背面壁１２は下方に向かうにつれてやや前面に突出するように傾いている。背面壁１２には左右両端に上下方向に延びる一対の柱状の支持部１５が設けられている。それぞれの支持部１５には前面方向に複数の係止孔１６が長手方向に所定の間隔で配置されている。
【００１６】
陳列室１０は、商品を陳列する陳列棚１８が上下方向に複数設けられる。通常、陳列棚１８は支持部１５に取り付けられる左右１対のブラケット５０の上部に配置される。本実施形態のショーケース１においては、ブラケット５０に傾斜板６０を取り付けたブラケット組み立て部７０の上に陳列棚１８を配置している。また、実施形態のショーケース１は、陳列棚１８を前方に引き出し可能なショーケース１である。
【００１７】
陳列棚１８及びブラケット組み立て部７０について図３乃至図５を用いて説明する。図３は陳列棚１８及びブラケット組み立て部７０が第１傾斜状態のときの要部の側面図であり、第１傾斜状態は陳列棚１８及びブラケット組み立て部７０の上部７１がほぼ水平な状態である。図４は陳列棚１８及びブラケット組み立て部７０が第２傾斜状態のときの要部の側面図であり、第２傾斜状態は陳列棚１８及びブラケット組み立て部７０の上部７１が前方に向けて下方に傾斜した状態である。図５はブラケット組み立て部７０及び後述する引き出し機構８０の各部材を分解した斜視図である。
なお、一対のブラケット組み立て部７０は左右対称の部材である。以下、ショーケース本体２の正面から見て右側に取り付けられるブラケット組み立て部７０を説明する。
【００１８】
ブラケット組み立て部７０の第１傾斜状態について図３及び図５を基に説明する。
ブラケット５０は短辺側５０ａと長辺側５０ｂを有する略Ｌ字状の部材である。短辺側５０ａが陳列室１０の後方に位置するように配置される。
短辺側５０ａの後端面５２に係止爪５６が備えられる。この係止爪５６は、支持部１５に配置された任意の係止孔１６に挿入して係止される。後端面５２の下端側には右側に折れ曲がったリブ５８が形成される。リブ５８が支持部１５に当たることによりブラケット５０の横方向の揺れを防ぎ、ブラケット５０の強度を高めている。
【００１９】
ブラケット５０の長辺側５０ｂには上部５１から下方に向かって溝５１ａが設けられている。これは後述する支持部材７６の傾斜板６０との軸支点７６ｂのねじ７６６ｓを避けるためのものである。ブラケット５０の左側側面５３の前方にピン５７が設けられている。
ブラケット５０を支持部１５に取り付けたとき、ブラケット５０の長辺側５０ｂの上部５１は常にほぼ水平となり、先端部５５が前方に突出する状態となる。
【００２０】
傾斜板６０はブラケット５０の前後方向の長さよりも短く、前方に向かってわずかに突出するように、ブラケット５０の上部５１と左側側面５３の一部を覆う板金で形成されている。左側側面６３の下端はブラケット５０の左側側面５３の下端と略同一、あるいはブラケット５０の左側側面５３の下端がわずかに突出している。傾斜板６０の左側側面６３の下端がブラケット５０の左側側面５３の下端よりも突出しても良いが、その差はブラケット５０の係止爪５６の係止部分の高さ方向の長さよりも小さい。
傾斜板６０の上部６１には樹脂性のすべり用板６８を複数のねじ６８ｓで取り付けられている。傾斜板６０の前方側の下端は下方に突出する段差部６３ｂを有し、その先端は右側へ折れ曲がり、傾斜板６０を前後及び上下方向に操作する操作部６３ａを形成している。
【００２１】
傾斜板６０の前方側には長手方向に延びるスライド孔６７が形成される。スライド孔６７は傾斜板６０の前方に向かって下方向に傾きを有するスライド部６７ｓを有し、スライド孔６７の前方側の先端には上向きの凹部６７ａと下向きの下端凹部６７ｂが形成されている。
スライド孔６７はブラケット５０に設けられるピン５７に滑動自在に支持され、スライド部６７ｓの先端が、陳列棚１８の自重によりピン５７の上に載って支持されている。本実施形態のピン５７は、ねじ５７ｓとブッシュ５７ｗとから成り、傾斜板６０の右側からスライド孔６７を通してねじ５７ｓが締められている。このブッシュ５７ｗは樹脂製であり、スライド孔６７のスライドによる塗装の剥離を防ぐことができる。
また、ブラケット組み立て部７０の左側側面７３の後方には支持部材７６を有し、この支持部材７６は、軸支点７６ａにより一端をブラケット５０に回動自在に軸支され、軸支点７６ｂにより他端を傾斜板６０に回動自在に軸支されている。これら軸支点７６ａ，７６ｂはねじ７６５ｓ、７６６ｓとブッシュ７６５ｗ、７６６ｗにより構成されている。それぞれを軸支している軸支点７６ａ、７６ｂの位置は、傾斜板６０の後方側が上下方向に移動できる角度が必要なため、支持部材７６とブラケット５０との軸支点７６ａが支持部材７６と傾斜板６０との軸支点７６ｂよりも低い位置で軸支されている。すなわち、第１傾斜状態において、傾斜板６０を第２傾斜状態に移行する際に、作業者が傾斜板６０の操作部６３ａを後方に押す方向（図３中矢印方向）に対して、軸支点７６ａから軸支点７６ｂを結ぶ直線が上方に傾いた状態となっている。
【００２２】
陳列棚１８は、ブラケット組み立て部７０の上部７１上に載置される。陳列棚１８は、前方と後方の上方に突出する係止部４１ａ，４１ｂを有する。また、前方には下方に向かって突出する突出部４４があり、その先端にねじ用の孔４５が形成されている。
【００２３】
次にブラケット組み立て部７０の第２傾斜状態について図４を基に説明する。第２傾斜状態は、第１傾斜状態に比べて、傾斜板６０は前方側が後方に移動し、後方側は上方に移動する。これにより、ブラケット５０の前方側が傾斜板６０の前方側よりも前方に突出し、スライド孔６７の凹部６７ａがピン５７に掛止される。支持部材７６は第１傾斜状態よりもブラケット５０との軸支点７６ａと傾斜板６０との軸支点７６ｂの位置の高さの差が大きくなる。
【００２４】
第２傾斜状態では傾斜板６０の下端がブラケット５０の上部５１よりも上側に位置する部分があり、この傾斜板６０の下端の一部とブラケット５０の上部との間にわずかな隙間Ｓができる。この隙間Ｓは人の指が入らないほどのものであり、万が一、作業者が陳列室１０の後方まで手を延ばしたとしても隙間Ｓに指を挟む恐れはない。
【００２５】
陳列棚１８の高さを変えるなどしてブラケット組み立て部７０をショーケース本体２から取り外すとき、ブラケット組み立て部７０はブラケット５０と傾斜板６０をまとめて取り外すことができる。ブラケット組み立て部７０の上部７１に載置される陳列棚１８を外し、左右それぞれのブラケット組み立て部７０を内側から下部を支えるようにして上方へ持ち上げると、ブラケット５０の後端面５２の係止爪５６の係止が外れ、ショーケース本体２から取り外すことができる。前述したように傾斜板６０の左側側面６３の下端はブラケット５０の左側側面５３の下端と略同一、あるいはブラケット５０の左側側面５３の下端がわずかに突出しているため、第１傾斜状態で、ブラケット組み立て部７０全体を持ち上げる際に、ブラケット５０と傾斜板６０を同時に把持することができ、ずれることなく持ち上げることができる。
【００２６】
ブラケット組み立て部７０の傾斜状態の変更方法について図３と図４を用いて説明する。第１傾斜状態から第２傾斜状態への変更と、第２傾斜状態から第１傾斜状態への変更をそれぞれ説明する。なお、傾斜状態の変更は、後述するスライド機構８０を操作して、陳列棚１８を引き出した状態（図７参照）にしてから行う。
【００２７】
まず、第１傾斜状態から第２傾斜状態に変更するときの変更方法について説明する。第１傾斜状態ではスライド孔６７の後方側の先端がピン５７に載っているだけであるため、力を加えて傾斜板６０をスライドさせればよい。つまり、作業者が操作部６３ａを図３矢印方向に示すように後方に押すことで、スライド孔６７に沿って傾斜板６０をスライドさせて、傾斜板６０の前方部分を後方に移動させると、支持部材７６が回動して軸支点７６ｂが上方に移動し傾斜板６０の後方側が上方に移動する。傾斜板６０を移動し続けると、スライド孔６７の前方側の先端にピン５７が当たる。ここで操作部６３ａから手を放し、スライド孔６７の凹部６７ａをピン５７に掛止させる。この位置がブラケット組み立て部７０の第２傾斜状態であり、スライド孔６７のピン５７への掛止によりブラケット組み立て部７０が第２傾斜状態で確実に保持される。
【００２８】
次に、第２傾斜状態から第１傾斜状態に変更するときの変更方法について説明する。同様に、図４矢印に示すように作業者が操作部６３ａを上方向に押すとスライド孔６７の凹部６７ａのピン５７への掛止が解除される。さらに操作部６３ａを上方向に押し続けると、スライド孔６７の前方下端に形成された下端凹部６７ｂにピン５７が当たり、傾斜板６０が若干前方へ移動する。これによりピン５７がスライド孔６７のスライド部６７ｓに移動し、作業者が操作部６３ａを支える力を弱めると、傾斜板６０自重により傾斜板６０がスライド移動を開始する。すなわち、傾斜板６０の後方部分が下方へ移動するのに連動して、スライド孔６７に沿って傾斜板６０をスライドさせて、傾斜板６０の前方部分を前方に移動させると、支持部材７６が回動して傾斜板６０の後方側が下方に移動する。スライド孔６７の後方側の先端にピン５７が当たるところで操作部６３ａから手を放すと、スライド部６７ｓの先端がピン５７の上に載って支持され、ブラケット組み立て部７０が第１傾斜状態で保持される。
【００２９】
ブラケット組み立て部７０の傾斜角度を変更したあと、スライド機構８０を操作して陳列棚１８を陳列室１０庫内へ押し戻すと、陳列棚１８は再び左右対称の１対のブラケット組み立て部７０上に配置される。従って陳列棚１８はブラケット組み立て部８０の傾きに合わせて傾斜状態が変更される。
【００３０】
本実施形態のショーケース１は、前述したとおり陳列棚１８を前方向に引き出しが可能なショーケース１である。ここで、ブラケット組み立て部７０と同様に、正面から見て右側に取り付けられる引き出し機構８０について図５乃至図７を用いて説明する。
引き出し機構８０は、内レール８１および外レール８３と、内レール８１と外レール８３との間に中レール８２が介在されてなる。図６は第２傾斜状態時の引き出し機構８０が閉じた陳列棚１８の斜視図である。図７は第２傾斜状態時の引き出し機構８０が引き出された陳列棚１８の斜視図である。内レール８１に対して外レール８３を最大限引き出した状態を示していて、内レール８１と外レール８３は互いに略同一長さに形成される。ブラケット５０の右側に内レール８１がねじ固定され、上部は傾斜板６０の上部６１にブラケット５０とともに覆われている。外レール８３及び中レール８２が前後にスライド可能となっている。
【００３１】
外レール８３の右側側面にはカバー８４がねじ８４ｓで取り付けられる。カバー８４は先端が前方にやや突出しており、その先端には陳列棚１８と繋ぐためのねじ用の孔８５を備えている。陳列棚１８とブラケット組み立て部７０と引き出し機構８０を組み合わせたとき、陳列棚１８の前方の下方に向かって突出する突出部４４は、引き出し機構８０の右側に並列するように配置される。従って、陳列棚１８と引き出し機構８０は、陳列棚１８の突出部４４の外側からねじ８５ｓとブッシュ８５ｗを用いて回動自在のヒンジ構造状に締結され繋がれている。これにより、外レール８３を手前に引くのに伴って陳列棚１８が手前に引き出されると共に、陳列棚１８は外レール８３に対して上下方向へ回動可能であり、ねじ８５ｓを軸にしてブラケット組み立て部７０の傾斜状態の変更に合わせて回動する。ブラケット組み立て部７０の上部７１を形成する傾斜板６０の上部６１にすべり用板６８を取り付けたことにより、ブラケット組み立て部７０上を陳列棚１８がすべり易くなるため、容易に陳列棚１８を引き出すことができる。
【００３２】
外レール８３の前方先端にはストッパーレバー８６が備えられている。ストッパーレバー８６を下方に押すとスライドのロックが解除され、外レール８３及び中レール８２が前後にスライド可能となる。
【００３３】
陳列棚１８を引き出すときは、ストッパーレバー８６を下方に押し、スライドのロックを解除した後、所定の位置まで陳列棚１８を手前にスライドすると再びスライドがロックされ、ストッパーレバー８６は元の位置に戻る。
陳列棚１８を陳列室１０内に戻すときは、同様にストッパーレバー８６を押してスライドのロックを解除する。陳列棚１８を後方へ押し、元の位置に戻るとスライドがロックされ、ストッパーレバー８６は元の位置に戻る。
【００３４】
なお、前述の構造により傾斜板６０の上下方向への回動と陳列棚１８の前後のスライド移動は独立した構造によるため、陳列棚１８が第１傾斜状態及び第２傾斜状態どちらの状態でも可能である。
前述したように、ブラケット組み立て部と引き出し機構は陳列室１０の背面壁１２の左右両端に固定された支持部１５に取り付けられ、左右１対のブラケット組み立て部７０及び引き出し機構８０により陳列棚１８を支えている。この左右１対のブラケット組み立て部７０及び引き出し機構８０は左右対称の部品である。これらは左右の部品が連動していないため、片方毎の操作が可能で、作業者が１人であっても容易に操作できる。
【００３５】
以上説明した実施形態のショーケース１によれば、傾斜板６０の前方側に移動可能なスライド孔６７と傾斜板６０の傾斜状態を保持するピン５７と傾斜板６０のスライド移動を操作する操作部６３ａとが設けられるので、陳列棚１８の傾斜角度を変更する際に作業者がショーケース１庫内の後方側まで手を挿入する必要がなく、傾斜板１８の前方で簡易な操作が可能となる。
また、陳列棚１８の前方へスライドする際にも外レール８３の前方にストッパーレバー８６が備えられるので、前方のみの操作でスライドが可能となる。
【００３６】
上記実施形態では、第１傾斜状態において特に係止手段を設けていないが、さらにスライド孔６７ａの後方側に係止凹部を設けるなどの方法で係止手段を設けてよい。
また、上記実施形態では、陳列棚１８及び傾斜板６０の傾斜状態を固定する方法としてスライド孔６７ａに設けられた凹部にピン５７を係止する方法としたが、ブラケット５０と傾斜板６０を係止するその他の方法を用いてよい。
また、第１傾斜状態及び第２傾斜状態のみではなく、第３、第４の傾斜状態に傾斜可能としてもよい。
また、上記実施形態では、ブラケット５０にピン５７を設け、傾斜板６０にスライド孔６７を形成しているが、反対にブラケット５０にスライド孔を、傾斜板６０にピンを設けても良い。この場合は、スライド孔に沿ってピンをスライドさせることにより傾斜板６０の傾斜角度を変更する。
また、ブラケット５０に対して傾斜板６０前方側が前後方向にスライドする構成は、上記実施形態に示したスライド孔６７とピン５７による可動構造の他にも種々の可動構造を用いて良い。例えば、スライド孔６７の代わりに切欠き状のレールを形成し、ピン５７の代わりに切欠き状のレールにスライド可能に係止される把持部や係止部を用いてもよい。
また、ブラケット５０に対して傾斜板６０後方側が上下方向に移動する構成は、上記実施形態に示した支持部材７６と軸支点７６ａ，７６ｂによる回動構造の他にも種々の可動構造を用いてよい。例えば、ブラケット５０後方側に略上下方向に傾斜して形成されるスライド孔と、このスライド孔に傾斜板６０後方側をスライド可能に支持するピンを用いてもよい。このようにブラケット５０及び傾斜板６０の前方側の可動係止部が前後方向に可動するのに伴い、後方側可動係止部が上下方向に可動する構成となっていればよい。
以上のように、上記実施形態に記載した特徴は、ショーケース１の陳列棚１８の傾斜角度を変更する際に、使用者が傾斜板６０の前方側を操作しこれに連動して陳列棚１８後方側の高さが変更される構成とすることができる。これにより、陳列棚の傾斜角度を容易に変更することが可能となるショーケース１を提供するものであって、上記効果を奏するその他の具体的構成を用いてもよい。
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれる。
【符号の説明】
【００３７】
１…ショーケース、２…ショーケース本体、５０…ブラケット、５７…ピン、６０…傾斜板、６３ａ…操作部、６７…スライド孔、６７ａ…上向きの凹部、７６…支持部材、７６ａ，７６ｂ…軸支点
【図１】
2018117736.tif 000003
【図２】
2018117736.tif 000004
【図３】
2018117736.tif 000005
【図４】
2018117736.tif 000006
【図５】
2018117736.tif 000007
【図６】
2018117736.tif 000008
【図７】
2018117736.tif 000009